(57)【要約】【課題】架空光配線網から引き落とされた光ドロップケーブルに、宅内配線用の光インドアケーブルをコネクタ接続したコネクタ接続部を収納する収納ケースについて、家屋に穴開け等の工事を行うことなく設置でき、しかも、家屋外観に与える影響を抑えることができる技術を提供する。【解決手段】光ドロップケーブル１１と光インドアケーブル１２とのコネクタ接続部を収納する外装ケース２の上部に、光ドロップケーブル１１の支持線１１ｆを家屋１３に引き留めるケーブル引留具１６に固定するための引留具嵌合部２６を具備してなるコネクタ接続用ケース１を提供する。【選択図】図２
2007240856.tif 000002
【特許請求の範囲】
【請求項１】
家屋（１３）の外側に設置され、架空光配線網（１７Ａ）から引き落とされた光ドロップケーブル（１１）に、宅内配線用の光インドアケーブル（１２）の家屋外側に引き出した先端をコネクタ接続したコネクタ接続部（２０、２０Ａ、２０Ｂ）を収納するコネクタ接続用ケースであって、
光ドロップケーブルの先端に取り付けられた光コネクタ（３）と光インドアケーブルの先端に取り付けられた光コネクタ（７、７２０）とを接続してなる前記コネクタ接続部を収納して、前記光ドロップケーブルの端末にて前記光ドロップケーブルから分岐された支持線（１１ｆ）、あるいは、この支持線に固定して前記家屋に係止されるケーブル引留具（１６）に取り付けられる外装ケース（２、２０１）を具備することを特徴とするコネクタ接続用ケース（１，１Ａ、２００）。
【請求項２】
前記外装ケースを、前記光ドロップケーブルの端末にて前記光ドロップケーブルから分岐された支持線（１１ｆ）、あるいは、この支持線に固定して前記家屋に係止されるケーブル引留具（１６）に取り付けるための取付手段（２６）を具備することを特徴とする請求項１記載のコネクタ接続用ケース。
【請求項３】
前記取付手段が、前記ケーブル引留具に嵌合して固定される引留具嵌合部（２６）であり、前記外装ケースの上部に設けられていることを特徴とする請求項２記載のコネクタ接続用ケース。
【請求項４】
前記外装ケース（２）が、Ｌ字形に屈曲された細長形状の容器であり、
Ｌ字の屈曲部（２２ａ）から一方の側のケース前側部（２Ａ）の先端に前記光ドロップケーブルを通すためのドロップケーブル挿通孔（２３ａ）が開口され、Ｌ字の屈曲部から他方の側のケース後側部（２Ｂ）の先端に前記光インドアケーブルを通すためのインドアケーブル挿通孔（２４ａ）が開口され、
前記ケース後側部が前記ケース前側部から下方へ突出する向きで設置されることを特徴とする請求項１〜３のいずれかに記載のコネクタ接続用ケース。
【請求項５】
前記光インドアケーブルの先端に取り付けられた光コネクタが、フェルールを内蔵したコネクタ本体（７１）と、該コネクタ本体に垂設され、前記光インドアケーブルに固定された引留部材（８）が取り付けられる引留ハウジング部（７５２）とを具備する、Ｌ字形の光コネクタであることを特徴とする請求項１〜４のいずれかに記載のコネクタ接続用ケース。
【請求項６】
前記外装ケースは、前記光ドロップケーブル先端の光コネクタを収納する細長のスリーブ状に形成された前側ケース（２１）と、前記Ｌ字形光コネクタを収納するＬ字形筒状体である後側ケース（２２）とを具備してなり、
前記後側ケースは、前記Ｌ字形光コネクタの前記コネクタ本体を収納する嵌合筒部（２２１）と、該嵌合筒部に垂設され、前記Ｌ字形光コネクタの前記引留ハウジング部を収納する垂下筒部（２２２）とを具備し、
前記前側ケースを前記後側ケースの前記嵌合筒部に嵌合して一体化することで、前記前側ケースが前記嵌合筒部を延長するように配置されて、Ｌ字形の前記外装ケースが組み立てられることを特徴とする請求項５記載のコネクタ接続用ケース。
【請求項７】
前記外装ケース（２０１）は、前記光ドロップケーブル先端の光コネクタ及び前記光インドアケーブル先端の光コネクタが互いに接続されて一直線上に配置された構造の前記コネクタ接続部（２０Ａ、２０Ｂ）を収納する細長形状に形成され、
前記外装ケースの長手方向一端側には前記光ドロップケーブルを通すためのドロップケーブル挿通孔（２０４）、前記外装ケースの長手方向他端側には前記光インドアケーブルを通すためのインドアケーブル挿通孔（２０５）、が開口されていることを特徴とする請求項１〜３のいずれかに記載のコネクタ接続用ケース。
【請求項８】
前記外装ケースが、前記ドロップケーブル挿通孔が開口されている第１ケース半体（２０６）と、前記インドアケーブル挿通孔が開口されている第２ケース半体（２０７）とを嵌合して一体化することで組み立てられることを特徴とする請求項７記載のコネクタ接続用ケース。
【発明の詳細な説明】
【技術分野】
【０００１】
本発明は、架空光配線網から引き落とされた光ドロップケーブルに、宅内配線用の光インドアケーブルをコネクタ接続したコネクタ接続部（責任分界点。以下、ＰＯＩとも言う。ＰＯＩ：Point of Interface）を収納するコネクタ接続用ケースに関する。
【背景技術】
【０００２】
例えばＦＴＴＨ（ＦＴＴＨ:Fiber To The Home）などに代表される光アクセス網においては、架空光配線網の光ファイバケーブル（架空光ファイバケーブル）に設置したクロージャから加入者宅へ引き落とした光ドロップケーブルを、加入者宅（家屋）外側に取り付けた屋外光成端キャビネットにて、宅内配線用の光インドアケーブルとコネクタ接続する、回線引き落とし方式が広く採用されている（例えば特許文献１）。
【特許文献１】特開平９−２８８２１７号公報
【発明の開示】
【発明が解決しようとする課題】
【０００３】
しかしながら、上述の屋外光成端キャビネットは、家屋外壁に固定した取付具に取り付けて設置する構造が一般的であり、家屋外壁に穴開け等の工事が必要であり、家屋外壁の一部を傷付けることになるため、これがユーザー側の不満になることがあった。
また、上述の屋外光成端キャビネットは、箱形であり、光ファイバケーブル端末から引き出した光ファイバの余長を収納する必要から、小型化が困難であり、家屋外壁に取り付けた場合、家屋外観の意匠性に影響を与える、といった不満がユーザーに生じる場合があった。
【０００４】
本発明は、このような事情に鑑みなされたものであって、その目的は、家屋外壁に穴開け等の加工を必要とせず、また、家屋外観に与える影響を小さくできるコネクタ接続用ケースを提供することにある。
【課題を解決するための手段】
【０００５】
上述した課題を解決するために、本発明は、以下の手段のコネクタ接続用ケースを提供する。
第１の発明は、家屋の外側に設置され、架空光配線網から引き落とされた光ドロップケーブルに、宅内配線用の光インドアケーブルの家屋外側に引き出した先端をコネクタ接続したコネクタ接続部を収納するコネクタ接続用ケースであって、光ドロップケーブルの先端に取り付けられた光コネクタと光インドアケーブルの先端に取り付けられた光コネクタとを接続してなる前記コネクタ接続部を収納して、前記光ドロップケーブルの端末にて前記光ドロップケーブルから分岐された支持線、あるいは、この支持線に固定して前記家屋に係止されるケーブル引留具に取り付けられる外装ケースを具備することを特徴とするコネクタ接続用ケースを提供する。
第２の発明は、前記外装ケースを、前記光ドロップケーブルの端末にて前記光ドロップケーブルから分岐された支持線、あるいは、この支持線に固定して前記家屋に係止されるケーブル引留具に取り付けるための取付手段を具備することを特徴とする第１の発明のコネクタ接続用ケースを提供する。
第３の発明は、前記取付手段が、前記ケーブル引留具に嵌合して固定される引留具嵌合部であり、前記外装ケースの上部に設けられていることを特徴とする第２の発明のコネクタ接続用ケースを提供する。
第４の発明は、前記外装ケースが、Ｌ字形に屈曲された細長形状の容器であり、Ｌ字の屈曲部から一方の側のケース前側部の先端に前記光ドロップケーブルを通すためのドロップケーブル挿通孔が開口され、Ｌ字の屈曲部から他方の側のケース後側部の先端に前記光インドアケーブルを通すためのインドアケーブル挿通孔が開口され、前記ケース後側部が前記ケース前側部から下方へ突出する向きで設置されることを特徴とする第１〜３のいずれかの発明のコネクタ接続用ケースを提供する。
第５の発明は、前記光インドアケーブルの先端に取り付けられた光コネクタが、フェルールを内蔵したコネクタ本体と、該コネクタ本体に垂設され、前記光インドアケーブルに固定された引留部材が取り付けられる引留ハウジング部とを具備する、Ｌ字形の光コネクタであることを特徴とする第１〜４のいずれかの発明のコネクタ接続用ケースを提供する。
第６の発明は、前記外装ケースは、前記光ドロップケーブル先端の光コネクタを収納する細長のスリーブ状に形成された前側ケースと、前記Ｌ字形光コネクタを収納するＬ字形筒状体である後側ケースとを具備してなり、前記後側ケースは、前記Ｌ字形光コネクタの前記コネクタ本体を収納する嵌合筒部と、該嵌合筒部に垂設され、前記Ｌ字形光コネクタの前記引留ハウジング部を収納する垂下筒部とを具備し、前記前側ケースを前記後側ケースの前記嵌合筒部に嵌合して一体化することで、前記前側ケースが前記嵌合筒部を延長するように配置されて、Ｌ字形の前記外装ケースが組み立てられることを特徴とする第５の発明のコネクタ接続用ケースを提供する。
第７の発明は、前記外装ケースは、前記光ドロップケーブル先端の光コネクタ及び前記光インドアケーブル先端の光コネクタが互いに接続されて一直線上に配置された構造の前記コネクタ接続部を収納する細長形状に形成され、前記外装ケースの長手方向一端側には前記光ドロップケーブルを通すためのドロップケーブル挿通孔、前記外装ケースの長手方向他端側には前記光インドアケーブルを通すためのインドアケーブル挿通孔、が開口されていることを特徴とする第１〜３のいずれかの発明のコネクタ接続用ケースを提供する。
第８の発明は、前記外装ケースが、前記ドロップケーブル挿通孔が開口されている第１ケース半体と、前記インドアケーブル挿通孔が開口されている第２ケース半体とを嵌合して一体化することで組み立てられることを特徴とする第７の発明のコネクタ接続用ケースを提供する。
【発明の効果】
【０００６】
本発明に係るコネクタ接続用ケースによれば、光ドロップケーブルと光インドアケーブルとのコネクタ接続部を収納した外装ケースを、前記光ドロップケーブルの端末にて前記光ドロップケーブルから分岐された支持線、あるいは、この支持線に固定して前記家屋に係止されるケーブル引留具に取り付ける構成であるため、従来のように、加入者宅の家屋外壁に取付具を固定する必要が無い。このため、家屋外壁への穴開け等の工事が不要であり、家屋外壁を傷付けてしまう、といった不都合も生じない。また、該コネクタ接続用ケースの設置作業を短時間で簡単に行える、といった利点もある。
さらに、このコネクタ接続用ケースによれば、光ドロップケーブル、光インドアケーブルの余長を収納する必要が無いため、従来の屋外光成端キャビネットに比べて、容易に小型化できる。しかも、このコネクタ接続用ケースを、コネクタ接続部を収納して、光ドロップケーブルと光インドアケーブルとを接続してなる光ケーブル線路に設置したときには、前記光ケーブル線路が外装ケースを貫通するようにして引き通され、外観上、一本の光ファイバケーブルの途中に外装ケースが装着されたようになるため、家屋外壁に取り付けた場合に比べて目立ちにくく、家屋外観に与える影響が小さい、といった利点もある。
【発明を実施するための最良の形態】
【０００７】
以下、本発明に係る実施形態について、図面を参照しながら説明する。
【０００８】
（第１実施形態）
まず、本発明に係るコネクタ接続用ケースの第１実施形態を説明する。
図１は前記コネクタ接続用ケース１の設置状態（施工例）を示す図、図２は図１におけるコネクタ接続用ケース１付近を示す拡大斜視図  図３はコネクタ接続用ケース１の全体斜視図、図４は前記コネクタ接続用ケース１の半断面斜視図、図５は前記コネクタ接続用ケース１の正断面（縦断面）図である。
【０００９】
図１〜図５において、符号１１は光ドロップケーブル、１２は光インドアケーブル、１３は家屋、１４は家屋１３の外壁、１５は係止部品、１６はケーブル引留具、１７は架空光ファイバケーブル、１８は光クロージャである。
図１、図２において、前記コネクタ接続用ケース１は、ＰＯＩとして機能するものであり、加入者宅（家屋１３）の外壁１４近傍にて屋外設置され、架空光配線網１７Ａから引き落とされた光ドロップケーブル１１と、宅内配線用の光インドアケーブル１２の家屋１３外側に引き出された先端とをコネクタ接続したコネクタ接続部２０（図４、図５参照）を外装ケース２内に収納している。
【００１０】
光ドロップケーブル１１は、架空光ファイバケーブル１７の光回線を加入者宅（家屋３）へ引き落とすためのものである。この光ドロップケーブル１１は、一端が、架空光ファイバケーブル１７に組み立てられた光クロージャ１８にて、前記架空光ファイバケーブル１７の光ファイバと接続され、前記光クロージャ１８から家屋外壁１４近傍まで架空布設され、他端が、コネクタ接続用ケース１にて、光インドアケーブル１２とコネクタ接続されている。
【００１１】
図６は、光ドロップケーブル１１の断面構造の一例を示す。
図６において、光ドロップケーブル１１は、光ファイバ１１ａ及び該光ファイバ１１ａの両脇に配置した抗張力体１１ｂを被覆樹脂１１ｃ中に埋設して一括被覆した断面矩形状の光ファイバエレメント部１１ｄと、この光ファイバエレメント部１１ｄの側部に添設された金属線１１ｅを前記光ファイバエレメント部１１ｄから延長した前記被覆樹脂１１ｃによって被覆した支持線部１１ｆとを具備している。
光ファイバエレメント部１１ｄと支持線部１１ｆとの間は、前記被覆樹脂１１ｃの薄肉部１１ｇを介して繋がっており、薄肉部１１ｇを切り裂くように切断することで、支持線部１１ｆを光ファイバエレメント部１１ｄから分離できる。支持線部１１ｆは、本発明に係る支持線として機能する。
光ファイバ１１ａは、光ファイバエレメント部１１ｄの断面中央部に埋設されており、光ファイバエレメント部１１ｄを、前記光ファイバ１１ａを介して両側に形成されたノッチ１１ｈから、それぞれ抗張力体１１ｂを埋設した２つのエレメント半体に分割することで、光ファイバ１１ａを露出させることができる。
【００１２】
前記光ファイバ１１ａとしては、ここでは、光ファイバ素線であるが、例えば、単心の光ファイバ心線、多心の光ファイバテープ心線などであっても良い。また、被覆樹脂１１ｃ中に埋設する光ファイバ１１ａの本数は１本（図示例では１本の光ファイバ素線）に限定されず、複数本であっても良い。
抗張力体１１ｂは、光ファイバ１１ａに沿って縦添えされた線条体であり、その材質は、例えばＦＲＰ等である。
支持線部１１ｆの金属線１１ｅとしては、例えば鋼線等が用いられる。但し、支持線部１１ｆとしては、被覆樹脂１１ｃで被覆する芯材として金属線１１ｅを採用したものに限定されず、前記芯材としては、例えば、ＦＲＰ製線材等、様々なものを採用できる。
なお、光ドロップケーブル１１としては、光ファイバエレメント部から支持線部を分離できるものであれば良く、上述の構成のものに限定されず、周知の各種構成のものを採用できる。
【００１３】
図７は、光インドアケーブル１２の断面構造の一例を示す。
図７に例示した光インドアケーブル１２は、光ファイバ１２ａ及び該光ファイバ１２ａの両脇に配置した抗張力体１２ｂを被覆樹脂１２ｃ中に埋設して一括被覆して断面矩形状に形成したものであり、丁度、図６に例示した光ドロップケーブル１１の光ファイバエレメント部１１ｄと同様の構成（光ドロップケーブル１１から支持線部１１ｆ、薄肉部１１ｇを省略した構成）になっている。符号１２ｄはノッチである。
また、光インドアケーブル１２の光ファイバ１２ａとしては、光ドロップケーブル１１の光ファイバ１１ａと同様に、様々な種類のものを採用できる。光ファイバ１２ａの本数も、１本に限定されず（図示例では１本の光ファイバ素線）、複数本であっても良い。
【００１４】
前記光ドロップケーブル１１は、該光ドロップケーブル１１の家屋１３側の端末部において、支持線部１１ｆと光ファイバエレメント部１１ｄとを分離してある。そして、支持線部１１ｆに取り付けたケーブル引留具１６を、家屋外壁１４に固定されたフック状の係止部品１５に係止することで、光クロージャ１８と家屋１３との間に張設されている。
図２、図１９に示すように、図示例のケーブル引留具１６は、支持線部１１ｆの巻き付け固定用の突起１６ａ（巻き付け突起）が複数突設された細長板状の本体プレート１６ｂと、この本体プレート１６ｂの長手方向片端から延出されたループ状（あるいはリング状）の係止金具１６ｃとを具備し、巻き付け突起１６ａに支持線部１１ｆを巻き付け固定した状態で、係止金具１６ｃを係止部品１５に係止することで、光ドロップケーブル１１を家屋１３に引き留めることができる。
【００１５】
コネクタ接続用ケース１は、ケーブル引留具１６に取り付けて、支持線部１１ｆに支持されている。
光ドロップケーブル１１の家屋１３側の端末にて支持線部１１ｆから分離された光ファイバエレメント部１１ｄは、先端部が、ケーブル引留具１６に取り付けられた外装ケース２に引き込まれ、家屋１３側から外装ケース２に引き込まれた光インドアケーブル１２とコネクタ接続されている。
光ファイバエレメント部１１ｄ自体も、本発明に係る光ドロップケーブルとして機能する。以下、光ファイバエレメント部１１ｄを、光ドロップケーブル本体１１ｄと称する場合がある。
なお、光インドアケーブル１２は、コネクタ接続用ケース１の外装ケース２と家屋１３との間に、湾曲処理した余長１２ｙを確保しておく。
【００１６】
図４、図５に示すように、コネクタ接続部２０は、光ドロップケーブル１１の先端に取り付けられた光コネクタ３と、光インドアケーブル１２の先端に取り付けられた光コネクタ７とを接続したものである。コネクタ接続部２０は、互いに接続した一対の光コネクタ３、７によって構成されている。
光コネクタ３、７は互いに接続可能なものであれば良く、ここでは一例として、光ドロップケーブル１１側の光コネクタ３（光コネクタプラグ）として、ＳＣ形光コネクタ（ＪＩＳ  Ｃ  ５９７３に制定されるＦ０４形光コネクタ。ＳＣ：Single fiberCoupling optical fiber connector）、光インドアケーブル１２側の光コネクタ７として、いわゆるＦＡ形光コネクタの、光コネクタソケットを採用している。
但し、光コネクタ３、７は、後述するクランプ部、ケーブル引留部を具備した、現場付けタイプのものである。
なお、光コネクタ３、７としては、上述のＳＣ形光コネクタ、ＦＡ形光コネクタに限定されず、単心用あるいは多心用の各種構成のものを採用できる。
【００１７】
図８、図９に示すように、光ドロップケーブル１１（詳細には、光ドロップケーブル本体１１ｄ）先端の光コネクタ３は、コネクタハウジング３４内にフェルール３１を収納した構成のコネクタ本体３６と、このコネクタ本体３６の後端（コネクタハウジング３４の後端。フェルール３１が組み込まれた先端側とは反対の側）に設けられたケーブル引留部３７とを具備した概略構成になっている。この光コネクタ３は、全体が、スリーブ状のコネクタハウジング３４の中心軸線（直線）及びその延長上に沿って延在する細長形状（直線状）になっている。
一方、光インドアケーブル１２先端の光コネクタ７は、図１４（ａ）、（ｂ）、図１５（ａ）、（ｂ）に示すように、Ｌ字形ハウジング７５を具備し、該Ｌ字形ハウジング７５のＬ字の屈曲部２２ａから一方の側（前端側）の直筒状のハウジング本体７５１の先端に、前記光コネクタ３が挿入して嵌合される受けハウジング部７３を具備する、全体としてＬ字形に形成された光コネクタ（ソケット）である。
図４、図５に示すように、光コネクタ７（ソケット）に光コネクタ３（光コネクタプラグ）を接続してなるコネクタ接続部２０は、全体として、Ｌ字形になっている。
なお、ＳＣ形光コネクタ（光コネクタプラグ）である光コネクタ３のコネクタハウジング３４は、プラグフレーム、つまみ（カップリング）等の複数部品によって構成されたものを指す。但し、本発明に係る光コネクタ３としては、例えば、フェルールを収納するコネクタハウジング３４がスリーブ状の１部品からなる構成も含む。
図示例の光コネクタ３、７の詳細は、後で説明する。
【００１８】
図３〜図５に示すように、コネクタ接続用ケース１は、Ｌ字形に屈曲された細長の容器である外装ケース２の側部に、該外装ケース２をケーブル引留具１６に取り付けるための引留具嵌合部２６を具備する構成になっている。
外装ケース２は、Ｌ字形に屈曲された細長の容器状に形成されており、Ｌ字形のコネクタ接続部２０を収納するＬ字形の内部空間２ｓを内部に有する。
【００１９】
図示例のコネクタ接続用ケース１の外装ケース２は、細長スリーブ状の前側ケース２１と、Ｌ字形の筒状体である後側ケース２２とで構成されている。
前側ケース２１は、後側ケース２２のＬ字の屈曲部２２ａから一端側（前端側）の嵌合筒部２２１に嵌合して後側ケース２２と一体化されて、前記嵌合筒部２２１を延長するように設けられる。
外装ケース２は、後側ケース２２の嵌合筒部２２１と、該嵌合筒部２２１に嵌合された前側ケース２１とが、該外装ケース２のＬ字の屈曲部（換言すれば、後側ケース２２の屈曲部２２ａ）から一方の側（ケース前側部２Ａ）を構成し、後側ケース２２のＬ字の屈曲部２２ａから他端側（後側）である垂下筒部２２２が、該外装ケース２のＬ字の屈曲部２２ａから他方の側（ケース後側部２Ｂ）を構成している。
【００２０】
コネクタ接続部２０を収納するＬ字形の内部空間２ｓは、外装ケース２の前端（前側ケース２１の前端）の端部壁２３（以下、前端壁とも言う）と、後端（後側ケース２２の後端）の端部壁２４（以下、後端壁とも言う）との間に延在している。
前側ケース２１には、コネクタ接続部２０の光コネクタ３が収納され、後側ケース２２には、Ｌ字形の光コネクタ７（ソケット）が収納される。
【００２１】
外装ケース２の前端壁２３には、光ドロップケーブル１１の光ドロップケーブル本体１１ｄを通すためのドロップケーブル挿通孔２３ａが開口され、外装ケース２の後端壁２４には、光インドアケーブル１２を通すためのインドアケーブル挿通孔２４ａが開口されている。
外装ケース２内に収納された光コネクタ３の前端側（フェルール３１が設けられている側。図８（ａ）左側）とは逆の後端側から延びる光ドロップケーブル本体１１ｄは、ドロップケーブル挿通孔２３ａを介して、外装ケース２の外側へ延出され、外装ケース２内に収納された光コネクタ７の後端（Ｌ字形ハウジング７５の前端の受けハウジング部７３とは反対の側の端部）側から延びる光インドアケーブル１２は、インドアケーブル挿通孔２４ａを介して、外装ケース２の外側へ延出されている。
【００２２】
図４、図５に示すように、外装ケース２の両端内部、すなわち、外装ケース２の内部空間２ｓの両端には、パッキン２５ａ、２５ｂを嵌め込んで、防水性を確保している。
光ドロップケーブル本体１１ｄ、光インドアケーブル１２は、パッキン２５ａ、２５ｂを貫通している。
パッキン２５ａ、２５ｂは、弾性変形可能であり、例えば、ゴムや、合成樹脂の独立発泡体といった材料によって形成される。
コネクタ接続部２０は、内部空間２ｓにおいて、両端のパッキン２５ａ、２５ｂの間に収納される。
【００２３】
コネクタ接続用ケース１に、コネクタ接続部２０、パッキン２５ａ、２５ｂを収納したものが、コネクタ収納体１００である。
このコネクタ接続用ケース１では、両端のパッキン２５ａ、２５ｂが、それぞれ、コネクタ接続部２０に押圧されて、圧縮変形されることが好ましい。
すなわち、外装ケース２内にコネクタ接続部２０を収納して、コネクタ接続用ケース１を組み立てたときに、外装ケース２の前端側のパッキン２５ａが、光コネクタ３の後端部と前端壁２３との間に挟み込まれて圧縮変形され、外装ケース２の後端側のパッキン２５ｂが、光コネクタ７の後端部と後端壁２４との間に挟み込まれて圧縮変形されるようにする。
この場合、パッキン２５ａ、２５ｂの復元力によって、コネクタ接続部２０の外装ケース２内でのガタ付きを防止できる。また、外装ケース２内面や光ドロップケーブル本体１１ｄ、光インドアケーブル１２に対するパッキン２５ａ、２５ｂの密着性が高まってシール性を向上できることも言うまでも無い。
【００２４】
図５中、符号２２ｂは、後側ケース２２の内部に突設されている支圧壁である。この支圧壁２２ｂには、光コネクタ７のＬ字形ハウジング７５の屈曲部７５ａの内角側７５ｂとは反対の外角側７５ｃが当接されるＬ字形の受け面２２ｃが形成されており、圧縮変形されたパッキン２５ａ、２５ｂからの押圧力を支圧する。
また、この支圧壁２２ｂは、Ｌ字形の受け面２２ｃに、光コネクタ７のＬ字形ハウジング７５の屈曲部７５ａが当接されることで、外装ケース２内でのコネクタ接続部２０の位置決め、及び、ガタ付き防止の機能を果たす。
【００２５】
前側ケース２１は、後側ケース２２の嵌合筒部２２１に嵌合する後端から前記前端側に行くにしたがって、断面形状が小さくなる、先細り状に形成されている。
前側ケース２１の後端部（嵌合筒部２１１）は、円筒状に形成されている。
一方、後側ケース２２の嵌合筒部２２１は、内筒２２３と、該内筒２２３の周囲に同心円状に突設された外筒２２４との間に、前側ケース２１の嵌合筒部２１１が嵌め込まれる環状の嵌合溝２２５を具備する、二重円筒状に形成されている。
前記外筒２２４は、嵌合筒部２２１の内筒２２３の屈曲部２２ａ側の端部から、内筒２２３の外周に立ち上げられ、内筒２２３の外周に沿って、内筒２２３の屈曲部２２ａからの突出先端に向かって延出する環状の突壁である。
【００２６】
前側ケース２１は、嵌合筒部２１１を、後側ケース２２の嵌合筒部２２１の内筒２２３の外側に押し込んで、外嵌めすることで、外側ケース２２に嵌合される。また、嵌合溝２２５に押し込まれた嵌合筒部２１１が、内筒２２３と外筒２２４との間にしっかりと嵌り込んで、前側ケース２１の嵌合筒部２１１が内筒２２３の同軸上に確実に支持され、嵌合筒部２２１に対する前側ケース２１の傾斜が防止される。
【００２７】
図２、図３に示すように、前側ケース２１は、嵌合筒部２１１を、後側ケース２２の嵌合筒部２２１の内筒２２３の外側に押し込んだときに、嵌合筒部２１１の外側に突設された山形の係止突片２１２が、嵌合筒部２２１の外筒２２４を僅かに押し広げて外筒２２４の内側を通って、外筒２２４に形成されている窓２２６に入り込むことで、後側ケース２２に係止され、一体化状態が維持される。これにより、外筒２２４を弾性変形させるなどして、係止突片２１２を外筒２２４の窓２２６から強制的に離脱させ、外筒２２４に対する係止を解除しない限り、後側ケース２２から離脱しないようになる。
また、嵌合溝２２５の奥部（後側ケース２２の前端から見て奥側）には、シール性を確保するためのＯリング２２７（図４、図５参照）が収納されている。係止突片２１２が嵌合筒部２２１の外筒２２４に係止すると、嵌合溝２２５に押し込まれた嵌合筒部２１１の先端が、Ｏリング２２７に押圧された状態が維持されるため、高いシール性が確実に得られる。
【００２８】
図２、図３において、符号２６は引留具嵌合部であり、光ドロップケーブル１１の支持線部１１ｆを家屋１３（詳細には外壁１４）に引き留めるためのケーブル引留具１６に、コネクタ接続用ケース１の外装ケース２を固定して取り付ける取付手段として機能するものである。
図示例のコネクタ接続用ケース１の引留具嵌合部２６は、外装ケース２の後側ケース２２の嵌合筒部２２１（詳細には、外筒２２４）から外側に突設された突起である複数の嵌合片２６ａによって、ケーブル引留具１６の本体プレート１６ｂを外装ケース２（詳細には後側ケース２２）に固定するものである。
【００２９】
図１７に示すように、前記嵌合片２６ａは、具体的には、鉤形の突片であり、ケーブル引留具１６の細長プレート状の本体プレート１６ｂを、外装ケース２（詳細には後側ケース２２）に押さえ込むようにして固定できる。
前記引留具嵌合部２６は、後側ケース２２の外周面に、嵌合片２６ａを複数１列に突設した列を２列形成したものである。各嵌合片２６ａは、後側ケース２２の外周面から立ち上げられた立設部２６ｂと、この立設部２６ｂの上端から、２列の嵌合片２６ａの列間の引留具収容空間２６ｓの中央部に向けて延びる押さえ片２６ｃとを具備している。
後側ケース２２を、ケーブル引留具１６の本体プレート１６ｂに沿ってスライド移動させることで、２列の嵌合片２６ａの列間（詳細には、引留具収容空間２６ｓを介して両側の嵌合片２６ａの立設部２６ｂ間）の引留具収容空間２６ｓに本体プレート１６ｂを収納できる。
引留具収容空間２６ｓに押し込まれた本体プレート部１６ｂは、引留具収容空間２６ｓの両側の嵌合片２６ａの押さえ片２６ｃによって、後側ケース２２の外周面に押さえ込むようにして固定される。これにより、引留具嵌合部２６によって、ケーブル引留具１６に外装ケース２が取り付けられる。
【００３０】
ケーブル引留具１６に取り付けた外装ケース２（後側ケース２２）がケーブル引留具１６から不用意に離脱しないようにすることに鑑みて、引留具嵌合部２６は、後側ケース２２を、ケーブル引留具１６の本体プレート部１６ｂに向かって強く叩き込むようにして、本体プレート部１６ｂを２列の嵌合片２６ａの間の引留具収容空間２６ｓに収容することで、本体プレート部１６ｂに強固に嵌合する、ようになっている。
【００３１】
なお、ケーブル引留具１６に取り付けた外装ケース２が、ケーブル引留具１６から不用意に離脱しないように、外装ケース２をケーブル引留具１６に強固に固定するための構成（取付手段）としては、例えば、外装ケース２（具体的には、後側ケース２２）に、ケーブル引留具１６の本体プレート１６ｂに係合する弾性爪を突設した構成なども採用可能である。
また、取付手段としては、例えば、図１８に示すように、タイラップ等の結束具２６１を用いた機械的固定手段、接着剤による接着固定等も採用可能である。但し、ケーブル引留具１６からの外装ケース２の離脱作業を可能にする点で、結束具を用いた結束固定等の、機械的固定手段を採用することが好ましい。
さらに、取付手段としては、例えば、複数の嵌合片２６ａが一枚のプレート上に突設された構成の、外装ケースとは別体の引留具嵌合用部品を、外装ケースに固定して引留具嵌合部として使用する、といったことも可能である。引留具嵌合用部品としては、ケーブル引留具１６の本体プレート１６ｂを嵌合又は係合によって固定できる構成のものであれば良く、様々な構成のものを採用できる。
【００３２】
図２、図３に示すように、コネクタ接続用ケース１は、引留具嵌合部２６を利用して、ケーブル引留具１６に取り付けたときに、後側ケース２２の嵌合筒部２２１において、該嵌合筒部２２１に垂設されている垂下筒部２２２が、嵌合筒部２２１から下方に突出する向きとなるように設置される。
引留具嵌合部２６は、後側ケース２２の嵌合筒部２２１において、垂下筒部２２２とは反対の側（すなわち、図２、図３において上側）に設けられているため、引留具嵌合部２６によってケーブル引留具１６に固定したコネクタ接続用ケース１は、垂下筒部２２２の自重で、垂下筒部２２２が嵌合筒部２２１から下方に突出する向き（姿勢）で、ケーブル引留具１６の下側に設けられる。
【００３３】
図１９に例示したコネクタ接続用ケース１Ａは、外装ケース２の後側ケース２２において、垂下筒部２２２とは反対側に位置する上端部に、引留具嵌合部２６が設けられた構成になっている。
図２に例示したコネクタ接続用ケース１は、後側ケース２２における引留具嵌合部２６の設置位置が、垂下筒部２２２とは反対の「上部」であることは、図３のコネクタ接続用ケース１Ａと同じであるが、引留具嵌合部２６の設置位置は、上端部から、後側ケース２２の側部の側にずれた位置になっている。
【００３４】
（コネクタ接続部）
コネクタ接続部２０は、後側ケース２２に前側ケース２１を嵌合して外装ケース２を組み立てる前に、後側ケース２２に挿入しておいたＬ字形の光コネクタ７（ソケット）の受けハウジング部７３に光コネクタ３を接続して、組み立てておく。コネクタ接続部２０を組み立てた後に、後側ケース２２に前側ケース２１を嵌合して一体化することで、コネクタ接続部２０が外装ケース２内に収納される。
【００３５】
コネクタ接続部２０を構成する光コネクタ３、７は、光ドロップケーブル１１（光ドロップケーブル本体１１ｄ）の先端、光インドアケーブル１２の先端に取り付けてから、外装ケース２内に収納する。
ここで、光コネクタ３、７の一例を説明する。
ここで採用される光コネクタ３，７は、いわゆる現場付け光コネクタであり、コネクタ接続用ケース１の施工現場にて、光ドロップケーブル１１（光ドロップケーブル本体１１ｄ）の先端、光インドアケーブル１２の先端に取り付けることが可能である。
【００３６】
まず、光ドロップケーブル１１（光ドロップケーブル本体１１ｄ）先端に取り付けられる光コネクタ３について説明する。
図８は光コネクタ３を示す図であって、（ａ）は正面図、（ｂ）はカバー３７２を示す斜視図、図９は光コネクタ３の内部構造を示す断面図である。
光コネクタ３は、現場付けタイプのＳＣ形光コネクタ（光コネクタプラグ）である。
この光コネクタ３は、スリーブ状のコネクタハウジング３４の先端（前端）内にフェルール３１を収納した構成のコネクタ本体３６と、このコネクタ本体３６の後端（コネクタハウジング３４の後端）に設けられたケーブル引留部３７とを具備した概略構成になっている。
【００３７】
図９において、この光コネクタ３は、フェルール３１として、該フェルール３１の接合端面（符号３１ａ。先端面）とは反対の側の後端側に組み立てられたクランプ部３２（後述）を具備するもの（以下、クランプ部付きフェルール３１Ａとも言う）を採用して、現場付けを可能にしている。
【００３８】
図１０は、クランプ部付きフェルール３１Ａを示す斜視図、図１１はクランプ部３２の断面構造を示す図であって、（ａ）、（ｂ）は図１０におけるＡ−Ａ線断面矢視図であって、（ａ）は介挿部材によって開放した状態を示す図、（ｂ）は介挿部材を引き抜いて光ファイバをクランプ固定した状態を示す図、（ｃ）は図１０におけるＢ−Ｂ線断面矢視図である。
クランプ部３２は、細長形状の一対の素子３１ｃ、３２１からなる半割り構造の素子部を、断面Ｃ形のスリーブ状のバネ３２２（Ｃ形バネ）の内側に収容した構造であり、バネ３２２の弾性によって、一対の素子３１ａ、３２１の間で、光ファイバをクランプする構造になっている。
一対の素子３１ｃ、３２１の内の片方は、フェルール３１に固定の部材である。したがって、クランプ部３２は、フェルール３１に複数の部材を組み付けた構成になっている。
なお、バネ３２２の形状は、断面コ字形のものなど、各種採用可能である。
【００３９】
フェルール３１には光ファイバ３８（以下、フェルール側光ファイバとも言う）が内挿固定されており、クランプ部３２の一対の素子３１ｃ、３２１の間には、フェルール側光ファイバ３８のフェルール３１後端から突出した突出部３８ａ（図８（ａ）、図９参照）が挿入されている。
なお、フェルール側光ファイバ３８としては、例えば石英系光ファイバが採用される。
【００４０】
クランプ部３２には、この光コネクタ３のコネクタハウジング３４の後端に開口されている開口部３４２（図９参照）から、光ドロップケーブル１１ｄの先端に露出させた光ファイバ１１ａ（ここでは光ファイバ素線）を挿入することができる。そして、クランプ部３２内で、光ファイバ１１ａ先端に口出しした裸光ファイバ１１ｉ（図１０参照）を前記光ファイバ３８（詳細には突出部３８ａ）に対して突き合わせ接続し、光ファイバ１１ａ、３８をクランプ部３２の一対の素子３１ｃ、３２１の間に挟み込んで固定することで、光ファイバ１１ａ、３８同士の接続状態が維持される。
【００４１】
光ドロップケーブル１１先端の光ファイバ１１ａをクランプ部３２に挿入するには、クランプ部３２の一対の素子３１ｃ、３２１の間に割り込ませた薄板状の介挿部材４によって、一対の素子３１ｃ、３２１の間が、バネ３２２の弾性に抗して若干押し開かれた状態にしておく（図１１（ａ）参照）。
そして、予め、先端に裸光ファイバ１１ｉ（図１０）を露出させておいた光ファイバ１１ａを、一対の素子３１ｃ、３２１の間に挿入する。
【００４２】
クランプ部３２の一対の素子３１ｃ、３２１間に介挿した介挿部材４は、コネクタハウジング３４の側壁部に貫設された介挿部材穴（図示略）を貫通して、一対の素子３１ｃ、３２１間に割り込ませた先端とは反対の後端側がコネクタハウジング３４の外側に突出されている（図８（ａ）参照）。したがって、この介挿部材４後端を操作ハンドルとして利用することで、介挿部材４の引き抜き操作を、コネクタハウジング３４の外側から行える。
また、クランプ部３２の一対の素子３１ｃ、３２１間には、介挿部材穴を介して、コネクタハウジング３４の外側から介挿部材４を挿脱することが可能である。この介挿部材４の挿脱によって、一対の素子３１ｃ、３２１間を開閉できる。
なお、ＳＣ形光コネクタである光コネクタ３については、コネクタハウジング３４から、その一部である、つまみを取り外した状態（つまり、いわゆるＳＣ２形光コネクタの状態）のコネクタハウジング（内部ハウジング）に前記介挿部材穴を形成しておき、クランプ部からの介挿部材の引き抜き後に、内部ハウジングの外側につまみを装着する、といったことが可能である。
【００４３】
クランプ部３２内に挿入した、光ドロップケーブル１１の光ファイバ１１ａは、先端の裸光ファイバ１１ｉ（図１０参照）が、クランプ部３２の一対の素子３１ｃ、３２１の一方又は両方の合わせ面（ここでは、素子３１ｃの合わせ面３２４ａのみ）に形成されている調心溝３２３（図１１（ａ）、（ｂ）参照）に挿入されて、該調心溝３２３に予め挿入されている前記フェルール側光ファイバ３８（ここでは裸光ファイバ。詳細には突出部３８ａ）に対して位置決めされて、突き合わせ接続される。
前記調心溝は、ここではＶ溝であるが、例えば、Ｕ溝、丸溝（断面半円形の溝）等、各種構成が採用可能である。
【００４４】
なお、図１１（ｃ）に示すように、光ファイバ１１ａの裸光ファイバ１１ｉを露出していない、被覆が付いたままの部分は、クランプ部３２の一対の素子３１ｃ、３２１の一方又は両方の合わせ面（ここでは、両素子の合わせ面）に形成された被覆部収納溝３２５に収納され、クランプ部３２から介挿部材４を引き抜いて、一対の素子３１ｃ、３２１の間を閉じたときに、一対の素子３１ｃ、３２１の間にしっかりと挟み込まれて固定される。
この被覆部収納溝３２５は、調心溝３２３の後端部（調心溝３２３の、フェルール３１とは反対の側の端部）から連続するようにして形成され、一対の素子３１ｃ、３２１からなる素子部の後端（フェルール３１とは反対の側の端部）に開口しており、光ファイバ１１ａ先端の裸光ファイバ１１ｉを調心溝３２３に誘導するための誘導溝としての機能も果たす。調心溝３２３、被覆部収納溝３２５は、調心溝３２３が被覆部収納溝３２５よりもフェルール３１側、の位置関係で形成されている。
【００４５】
図８（ａ）、（ｂ）、図９に示すように、光コネクタ３のケーブル引留部３７は、コネクタハウジング３４の後端から突出する舌片状の引留部材支持片３７１と、コネクタハウジング３４の後端に枢着された回転自在のカバー３７２とを具備して構成されている。
カバー３７２は、断面門形に形成された細長形状の部材であり、回転によって、引留部材支持片３７１上に被せるように配置される位置（閉じた状態）と、引留部材支持片３７１上に起立する位置とを切り換えることができ、引留部材支持片３７１に対して開閉自在である。また、カバー３７２は、光ドロップケーブル１１の光ドロップケーブル本体１１ｄ（支持線部１１ｆを分離した部分）の先端に固定しておいたブロック状の引留部材５（図９等参照。後述）を内側に収納することで、光ドロップケーブル１１（光ドロップケーブル本体１１ｄ）を引き抜けないように引き留める。
なお、図中、符号３４３は枢軸であり、コネクタハウジング３４の後端両側面に突設されている。
【００４６】
図１３に示すように、引留部材５は、光ドロップケーブル１１の光ドロップケーブル本体１１ｄを嵌め込んで収納する固定溝５１が形成されたベースブロック５２と、このベースブロック５２の上面５３に固定されて、前記上面５３に開口する固定溝５１を塞ぐ蓋板５４とを具備する。固定溝５１に嵌め込まれた光ドロップケーブル本体１１ｄは、固定溝５１内面に形成された爪（図示略）等の固定手段によって強固に固定される。
また、ベースブロック５２には、ケーブル引留部３７の引留部材支持片３７１が差し込まれる貫通穴である、支持片収納穴５５が形成されている。
【００４７】
図１２（ａ）〜（ｄ）は、光コネクタ３を、光ドロップケーブル本体１１ｄ先端に取り付ける手順を、工程順に示す。
光コネクタ３を光ドロップケーブル本体１１ｄ先端に取り付けるには、まず、光ドロップケーブル本体１１ｄの先端に、引留部材５を固定する。
ここで、光ドロップケーブル本体１１ｄの先端に露出させた光ファイバ１１ａを、引留部材５から突出させておく。また、光ファイバ１１ａの先端は、被覆を除去して、裸光ファイバ１１ｉを口出ししておく。
【００４８】
次いで、カバー３７２を開放した状態（カバー３７２を引留部材支持片３７１から上方に位置させ、引留部材支持片３７１を露出させた状態。図１２（ａ）〜（ｂ）参照）で、光ドロップケーブル本体１１ｄ先端に固定されている引留部材５の支持片収納穴５５に引留部材支持片３７１を収納しつつ、引留部材５を引留部材支持片３７１に差し込んでいく（図１２（ａ）、（ｂ）参照）。これにより、引留部材５から突出させておいた光ファイバ１１ａを、コネクタハウジング３４後端の開口部３４２からクランプ部付きフェルール３１Ａのクランプ部３２に挿入し、クランプ部３２内で、光ファイバ１１ａの先端（予め露出させておいた裸光ファイバ１１ｉ）を、フェルール側光ファイバ３８に突き合わせる。
【００４９】
なお、クランプ部付きフェルール３１Ａのクランプ部３２は、一対の素子３１ｃ、３２１の間に割り込ませた介挿部材４によって、予め、一対の素子３１ｃ、３２１の間を開放しておく（図１１（ａ）参照）。
光ファイバ１１ａをフェルール側光ファイバ３８に突き合わせたら、クランプ部３２から介挿部材４を引き抜く（図１２（ｃ）参照）。これにより、クランプ部３２のバネ３２２の弾性によって、光ファイバ１１ａ（詳細には裸光ファイバ１１ｉ）、３８が突き合わせ状態のまま、一対の素子３１ｃ、３２１の間に挟み込まれ、突き合わせ接続状態が維持される（図１１（ｂ）参照）。
クランプ部３２では、フェルール側光ファイバ３８と光ファイバ１１ａの先端の裸光ファイバ１１ｉとは、調心溝３２３の調心精度によって精密に位置決め調心した状態で、一対の素子３１ｃ、３２１間にクランプ固定されるため、突き合わせ接続状態が維持されるため、フェルール側光ファイバ３８と光ファイバ１１ａとの光接続状態が安定に維持される。
【００５０】
次いで、ケーブル引留部３７のカバー３７２を閉じて、引留部材５をカバー３７２内に収納する（図１２（ｄ）参照）。
これにより、図９に示すように、カバー３７２後端（図９右端）にて断面門形のカバー３７２の内側に張り出すように突出された係止突起３７２ｂが、引留部材５のカバー３７２からコネクタ後端側（図９右側）への抜け出しを規制する抜け止めストッパとして機能し、その結果、引留部材５に固定されている光ドロップケーブル本体１１ｄの、光コネクタ３から後端側への引き抜きが規制され、光ドロップケーブル本体１１ｄが光コネクタ３に対して引き留められる。
【００５１】
また、引留部材５をカバー３７２内に収納する際に、カバー３７２の両側壁３７２ａに開口された係止窓３７２ｃ（図８（ａ）参照）に、引留部材５のベースブロック５２の両側部に突設されている係止爪５６を嵌め込んで、カバー３７２に引留部材５を嵌合する（図１３参照）。これによって、カバー３７２内での引留部材５の収納位置が安定する。
以上により、光ドロップケーブル本体１１ｄの先端への光コネクタ３の取り付けが完了する。
【００５２】
次に、光インドアケーブル１２の先端に取り付ける光コネクタ７を説明する。
図１４（ａ）、（ｂ）、図１５（ａ）、（ｂ）に示すように、光インドアケーブル１２先端に取り付けるＬ字形の光コネクタ７（ソケット）は、Ｌ字形ハウジング７５のＬ字の屈曲部７５ａから一方の側（前端側）のハウジング本体７５１及び受けハウジング部７３からなる本体フレーム７２内に、クランプ部付きフェルール７４Ａ及び割りスリーブ７７ａを収納してなるコネクタ本体７１（ソケット本体）と、Ｌ字形ハウジング７５のＬ字の屈曲部７５ａから他方の側（後端側）の部分である引留ハウジング部７５２と、コネクタ本体７１後端から後側（図１４右側。受けハウジング部７３とは反対の側）に延出された舌片状の引留部材支持片３８、とを具備して構成されている。
【００５３】
クランプ部付きフェルール７４Ａは、既述の光コネクタ３のクランプ部付きフェルール３１Ａと同様の構成のものであり、ここでは説明を省略する。
また、符号７４１はクランプ部付きフェルール７４Ａのクランプ部であり、クランプ部付きフェルール３１Ａのクランプ部３２と同様の構成のものである。
【００５４】
受けハウジング部７３は、四角枠状の側壁部７３ａを有し、この側壁部７３ａの内側に、前記光コネクタ３が外側から挿入されるコネクタ嵌合凹所７３１を有する、凹形に形成されている。
【００５５】
符号７７は割りスリーブ収納筒、７７ａは割りスリーブである。
割りスリーブ収納筒７７は、受けハウジング部７３の奥側（ハウジング本体７５１側）から、受けハウジング部７３の内側のコネクタ嵌合凹所７３１に突出されている。この割りスリーブ収納筒７７の内側には、割りスリーブ７７ａが収納されている。
クランプ部付きフェルール７４Ａは、先端のフェルール７４が、割りスリーブ７７ａのハウジング本体７５１側から、割りスリーブ７７ａに挿入され、先端の接合端面７４ａが、割りスリーブ７７ａの軸方向中央部に配置されている。クランプ部付きフェルール７４Ａのクランプ部３２は、ハウジング本体７５１内に収納されている。  
【００５６】
受けハウジング部７３の前記コネクタ嵌合凹所７３１内に組み込まれた爪ユニット７９は、コネクタ嵌合凹所７３１に挿入された光コネクタ３の両側部の係合凹所３３１に係脱可能に係合する一対の弾性爪７９ａを有する。光コネクタ３は、爪ユニット７９の一対の弾性爪７９ａの間に挿入されて、弾性爪７９ａと係合することで、受けハウジング部７３に嵌合する。
この弾性爪７９ａは、ＳＣ形光コネクタの光コネクタアダプタ（あるいは光コネクタレセプタクル）の内部に設けられるものと同様に形成されている。
【００５７】
なお、この光コネクタ７に接続される光コネクタ（光コネクタプラグ）としては、ＳＣ形光コネクタに限定されない。
また、この光コネクタ７は、受けハウジング部７３の側壁部７３ａに形成された係合窓７３ｂを有しており、この係合窓７３ｂに係脱可能に係合する係合爪（弾性爪）を具備する構造の光コネクタプラグの接続にも対応できる。
【００５８】
図１５（ａ）、（ｂ）に示すように、引留ハウジング部７５２は、ハウジング本体７５１に対して垂設された、断面コ字形の枠状ハウジングであり、Ｌ字形ハウジング７５の屈曲部７５ａからハウジング本体７５１に対して垂直に延出されている。
この引留ハウジング部７５２のハウジング本体７５１からの突出先端は、光インドアケーブル１２の先端に固定したブロック状の引留部材８が取り付けられることで、光インドアケーブル１２を引き留める、ケーブル引留部７５４として機能する。
【００５９】
図１５（ａ）、（ｂ）、図１６に示すように、引留部材８は、光インドアケーブル１２を嵌め込んで収納する固定溝８１が形成されたベースブロック８２と、このベースブロック８２の上面８３に固定されて、前記上面８３に開口する固定溝８１を塞ぐ蓋板８４とを具備して構成されている。この引留部材８は、固定溝８１に嵌め込まれた光インドアケーブル１２を、固定溝８１内面に形成された爪（図示略）等の固定手段によって強固に固定できるようになっている。
また、ベースブロック５２には、引留部材支持片７８が差し込まれる貫通穴である、支持片収納穴８５が形成されている。
【００６０】
この光コネクタ７を、光インドアケーブル１２の先端に取り付けるには、光インドアケーブル１２端末にブロック状の引留部材８（図１４（ａ）参照）を固定する。ここで、図１４（ａ）に示すように、引留部材８は光インドアケーブル１２の被覆部分（被覆樹脂１２ｃで覆われている部分）に固定し、光インドアケーブル１２の先端に露出させた光ファイバ１２ａが、引留部材８から突出するようにする。また、光ファイバ１２ａの先端には、予め、光ファイバ１２ａの被覆を除去して裸光ファイバ１２ｅを露出（口出し）しておく。
【００６１】
次いで、引留部材８を、支持片収納穴８５に引留部材支持片７８が通されるようにして、引留部材支持片７８のコネクタ本体７１からの突出先端から外挿し、引留部材８を引留部材支持片７８に沿ったスライド移動によって、コネクタ本体７１に接近させる。
光インドアケーブル１２先端を引留部材支持片７８を案内としてコネクタ本体７１に接近させることで、光インドアケーブル１２先端に露出させておいた光ファイバ１２ａを、コネクタ本体７１後端（ハウジング本体７５１後端）の光ファイバ導入孔７５３からコネクタ本体７１内のクランプ部付きフェルール７４Ａのクランプ部７４１に挿入し、光ファイバ１２ａ先端（裸光ファイバ１２ｅ）を、フェルール側光ファイバ３８に突き合わせ接続する。
【００６２】
図１４（ａ）、（ｂ）において、符号７５５は介挿部材口である。この介挿部材口７５５は、介挿部材４を通すために、Ｌ字形ハウジング７５のハウジング本体７５１に形成された貫通穴である。クランプ部付きフェルール７４Ａのクランプ部７４１の一対の素子３１ｃ、３２１間に先端を割り込ませた介挿部材４は、前記介挿部材口７５５を介して、ハウジング本体７５１の外側に突出される。介挿部材口７５５を介してハウジング本体７５１の外側に突出された介挿部材４の後端は、該介挿部材４をクランプ部７４１から引き抜くための操作端として利用される。
クランプ部付きフェルール７４Ａのクランプ部７４１に光ファイバ１２ａを挿入する際には、予め、クランプ部７４１の一対の素子３１ｃ、３２１間に割り込ませた介挿部材４によって、光ファイバ１２ａの挿入が可能なように、一対の素子３１ｃ、３２１間を開放しておく。
なお、クランプ部７４１の一対の素子（図１１のクランプ部３２の素子３１ｃ、３２１を参照）は、楔状の介挿部材４の挿脱によって開閉可能である。
【００６３】
クランプ部７４１に挿入した光ファイバ１２ａ先端（裸光ファイバ１２ｅ）のフェルール側光ファイバ３８に対する突き合わせが完了したら、一対の素子３１ｃ、３２１間に割り込ませてあった介挿部材４をクランプ部７４１から引き抜く。これにより、クランプ部７４１のバネ３２２の弾性によって、光インドアケーブル１２の光ファイバ１２ａとフェルール側光ファイバ３８とが突き合わせ状態のまま一対の素子３１ｃ、３２１間に挟み込まれてクランプ固定される。また、これにより、インドアケーブル１２の光ファイバ１２ａの先端の裸光ファイバ１２ｅとフェルール側光ファイバ３８とが、調心溝３２３の調心精度によって、精密に位置決め調心されて光接続（突き合わせ接続）された状態が維持される。
【００６４】
なお、後述のように、引留部材８を引留ハウジング部７５２のケーブル引留部７５４に固定（図１４（ｂ）、図１５（ａ）、（ｂ）参照）したときに、クランプ部７４１後端とケーブル引留部７５４に固定した引留部材８との間にて湾曲（図１４（ｂ）参照）される、光インドアケーブル１２の光ファイバ１２ａに引っ張り力が作用しないように、光インドアケーブル１２の光ファイバ１２ａの引留部材８からの突出長を調整しておくことは言うまでも無い。
【００６５】
ところで、引留部材支持片７８の断面長手方向は、ハウジング本体７５１の後端から延出する引留ハウジング部７５２の長手方向に垂直であり、しかも、引留部材支持片７８は可撓性を有し、コネクタ本体７１から後側へ延出された状態から、湾曲させて、引留ハウジング部７５２に沿わせて配置することができる。
クランプ部付きフェルール７４Ａのクランプ部７４１からの介挿部材４の引き抜き（換言すれば、クランプ部７４１での光ファイバ３８、１２ａのクランプ固定）が完了したら、引留部材８を、引留部材支持片７８に挿通した状態のまま、引留部材支持片７８を撓ませつつ、引留ハウジング部７５２のケーブル引留部７５４へ移動し、ケーブル引留部７５４に嵌め込んで取り付ける。
【００６６】
このとき、引留部材８は、ケーブル引留部７５４の内側に嵌め込んで、両側部の係止爪８６を、引留ハウジング部７５２の側壁部７５２ａの係止窓７５２ｂに係合させる。前記固定溝８１を介して左右（図１６左右）両側に突設されている係止爪８６が、引留ハウジング部７５２の内側空間７５２ｓを介して左右両側の側壁部７５２ａに形成されている係止窓７５２ｂに係合させることで、引留部材８が、ケーブル引留部７５４の内側に嵌合されて、Ｌ字形ハウジング７５に固定され、ケーブル引留部７５４に確実に取り付けられる。これにより、光コネクタ７に対する光インドアケーブル１２の引き留めが完了する。
【００６７】
（コネクタ接続用ケースの組み立て・施工）
コネクタ接続用ケース１を組み立てるには、後側ケース２２（図４、図５参照）に、インドアケーブル挿通孔２４ａから引き入れた光インドアケーブル１２の先端を、後側ケース２２の嵌合筒部２２１の前端開口部から引き出し、この光インドアケーブル１２の先端に、Ｌ字形の光コネクタ７を取り付ける。
一方、前側ケース２２にドロップケーブル挿通孔２３ａから引き入れて、前側ケース２２の後端開口部から引き出した光ドロップケーブル本体１１ｄの先端に、光コネクタ３を取り付ける。
そして、Ｌ字形の光コネクタ７の後側ケース２２への収納と、光コネクタ７の受けハウジング部７３への光コネクタ３の接続（挿入及び嵌合）とを行い、後側ケース２２に収納された光コネクタ７の受けハウジング部７３に光コネクタ３が接続された状態にする。
【００６８】
Ｌ字形の光コネクタ７の後側ケース２２への収納は、光コネクタ７を、引留ハウジング部７５２（後端側）の側から、外側ケース２２に、嵌合筒部２２１から挿入していく。
このとき、光コネクタ７の受けハウジング部７３を、後側ケース２２の嵌合筒部２２１の内側に突設されている一対のコネクタ係止爪２２ｄの間から、後側ケース２２の屈曲部２２ａ側に押し込むように押圧して、受けハウジング部７３の周囲にフランジ状に突設されている側部突起７３３を、一対のコネクタ係止爪２２ｄの間を通過させ、コネクタ係止爪２２ｄから屈曲部２２ａ側に入り込ませ、図４、図５に示す状態にする。これにより、側部突起７３３に係合したコネクタ係止爪２２ｄと、後側ケース２２の支圧壁２２ｂとの間に、光コネクタ７（詳細には、光コネクタ７のＬ字形ハウジング７５の、屈曲部７５ａから側部突起７３３までの部分）が保持される。
【００６９】
次いで、後側ケース２２の嵌合筒部２２１に前側ケース２１の嵌合筒部２１１を嵌合して、前側ケース２１と後側ケース２２とを一体化して、外装ケース２を組み立てる。これにより、コネクタ接続用ケース１、コネクタ収納体１００が組み立てられる。
【００７０】
コネクタ接続用ケース１がケーブル引留具１６に取り付けられた状態となったら、コネクタ接続用ケース１の施工が完了する。
光ドロップケーブル１１の支持線部１１ｆを家屋１３に引き留めるケーブル引留具１６に対する後側ケース２２の取り付けと、外装ケース２全体の組み立てとは、どちらが先であっても良い。
【００７１】
このコネクタ接続用ケース１は、引留具嵌合部２６によってケーブル引留具１６に取り付けて設置されるため、家屋１３に取付具を固定する工事が不要であり、家屋１３を傷付けるといった心配が無く、しかも、組み立て、設置を、短時間で簡単に行える。
さらに、光ドロップケーブル１１先端、光インドアケーブル１２先端に直接取り付けた光コネクタ３、７同士を接続したコネクタ接続部２０を外装ケース２内に収納した構成であるため、外装ケース２内に、光ドロップケーブル１１、光インドアケーブル１２から引き出した光ファイバ１１ａ、１２ａ（ここでは光ファイバ素線）の余長を収納する必要が無く、外装ケース２は小型化できる。また、外装ケース２内には、光ドロップケーブル１１、光インドアケーブル１２の余長も収納する必要が無い点でも、外装ケース２の小型化を実現できる。外装ケース２の小型化により、家屋１３の美観に与える影響を非常に小さくできる。
【００７２】
また、このコネクタ接続用ケース１の外装ケース２は、光インドアケーブル１１と光インドアケーブル１２とを接続してなる光ケーブル線路の途中に設けられ、外観上、光ケーブル線路の途中を一部太くしたような形状であるため、従来の箱形の屋外光成端キャビネットに比べて、目立ちにくい。このため、家屋の外観、美観に与える影響を軽減できる。
また、図２に例示したように、後側ケース２２における引留具嵌合部２６の設置位置が、後側ケース２２の上端部から、後側ケース２２の側部の側にずれた位置になっている構成であれば、地上の歩行者から見て、引留具嵌合部２６に固定されたケーブル引留具１６が外装ケース２に隠されるか、あるいは、外装ケース２に重なって見えることとなる。このため、例えば、図１９に例示したコネクタ接続用ケース１Ａのように、引留具嵌合部２６が、後側ケース２２の上端部に設けられている場合は、引留具嵌合部２６、及び、該引留具嵌合部２６を固定したケーブル引留具１６が、外装ケース２上に突出状態となるのに比べて、美観の確保の点で有利である。
【００７３】
図２、図３に示すように、コネクタ接続用ケース１は、施工が完了したとき、垂下筒部２２２の自重で、垂下筒部２２２が嵌合筒部２２１から下方に突出する向き（姿勢）で、ケーブル引留具１６の下側に設けられる。このコネクタ接続用ケース１の外装ケース２は、該外装ケース２の表面を伝って流れる、雨水等の水が、垂下筒部２２２から円滑に落下し、溜まりにくい外形になっている。したがって、雨水の溜まりや、着雪等による重量増などいった不都合を防止できる。
【００７４】
コネクタ接続用ケース１は、垂下筒部２２２の自重で、垂下筒部２２２が嵌合筒部２２１から下方に突出する向き（姿勢）が維持されることで、垂下筒部２２２の下端に位置するインドアケーブル挿通孔２４ａから外装ケース２内への浸水を、確実に防止できることは言うまでも無い。
コネクタ収納体１００において、外装ケース２のインドアケーブル挿通孔２４ａ付近は、風によるコネクタ接続用ケース１の揺動等によって、家屋１３側の光ファイバケーブルである光インドアケーブル１２に引っ張りや曲げが繰り返し与えられるなどして、繰り返し応力が作用しやすい部位であり、防水性の確保の点で不利な点がある。
しかしながら、コネクタ接続用ケース１は、垂下筒部２２２が嵌合筒部２２１から下方に突出する向き（姿勢）の維持を実現できる構成であるため、簡易な防水構造であっても、インドアケーブル挿通孔２４ａの防水性を確保できる、といった利点がある。
【００７５】
（第２実施形態）
図２０、図２１は、本発明の第２実施形態のコネクタ接続用ケース２００の構造を示す図であって、図２０は全体斜視図、図２１は断面図である。
なお、図中、図１〜図１９と共通の構成部分には共通の符号を付して説明を省略する。
【００７６】
図２０、図２１において、コネクタ接続用ケース２００は、コネクタ接続されて一直線上に配置された、光ドロップケーブル１１の光ドロップケーブル本体１１ｄと、光インドアケーブル１２とのコネクタ接続部２０Ａを収納する、細長形状の外装ケース２０１を具備するものである。
このコネクタ接続ケース２００も、既述のコネクタ接続ケース１と同様に、外装ケース２０１の側部（外側）に、引留具嵌合部２０３（２６）を具備しており、ケーブル引留具１６に取り付けられる。
なお、引留具嵌合部としては、既述のコネクタ接続ケース１と同様の、様々な構成のものを採用できる。また、引留具嵌合部に限定されず、タイラップ等の結束具といった、取付手段の採用も可能であることは言うまでも無い。
【００７７】
光ドロップケーブル１１の光ドロップケーブル本体１１ｄと、光インドアケーブル１２とは、コネクタ接続されて一直線上に配置されている。
光ドロップケーブル１１の光ドロップケーブル本体１１ｄと光インドアケーブル１２とをコネクタ接続したコネクタ接続部２０Ａは、光ドロップケーブル１１の光ドロップケーブル本体１１ｄの先端に取り付けられた既述の光コネクタ３と、光インドアケーブル１２の先端に取り付けられた後述の光コネクタ７Ａとを接続したものである。
【００７８】
光コネクタ７２０は、既述の光コネクタ７（ソケット）の引留ハウジング部７５２に代えて、コネクタ本体７１の後端側に、光コネクタ３のケーブル引留部３７と同様の構成の、ケーブル引留部７２１を設けた構造のものである。
ケーブル引留部７２１は、既述の光コネクタ７のコネクタ本体７１に垂直の引留ハウジング部７５２とは異なり、コネクタ本体７１の中心軸線（換言すれば、ハウジング本体７５１の中心軸線）の延長上に、光インドアケーブル１２を引き留める構造である。
図２１において、符号７２２は、ケーブル引留部７２１のカバーであり、光コネクタ３のケーブル引留部３７のカバー３７２と同様に、ブロック状の引留部材（ここでは、光インドアケーブル１２端末に固定した引留部材５）を収納することで、引留部材を引き抜き不可能に係止し（図９の係止突起３７２ｂを具備する）、光インドアケーブル１２を、引き抜けないように引き留める。
【００７９】
上述の光コネクタ７２０は、光インドアケーブル１２先端に取り付けたときに、ケーブル引留部７２１が、コネクタ本体７１の後側に該コネクタ本体７１を延長するように延在する、細長の構造になっている。
光ドロップケーブル１１の光ドロップケーブル本体１１ｄの先端に取り付けた光コネクタ３を、光コネクタ７２０の受けハウジング部７３に嵌合して接続してなるコネクタ接続部２０Ａは、全体として、直線状の細長形状である。
【００８０】
コネクタ接続用ケース２００の外装ケース２０１は、前記コネクタ接続部２０Ａを収納する細長形状の容器であり、さらに言えば、長手方向中央部が膨出して太くなっている、紡錘状に形成されている。
外装ケース２０１の長手方向中央部は、両端に比べて内部空間が広く形成されており、コネクタ接続部２０Ａの内、サイズが大きい（太い）、光コネクタ７２０の受けハウジング部７３を収納する。
【００８１】
外装ケース２０１の、長手方向一端側には前記光ドロップケーブル１１の光ドロップケーブル本体１１ｄを通すためのドロップケーブル挿通孔２０４、長手方向他端側には前記光インドアケーブル１２を通すためのインドアケーブル挿通孔２０５、が開口されている。
コネクタ接続部２０Ａを外装ケース２０１内に収納してコネクタ収納体を組み立てると、外装ケース２０１の長手方向一端側のドロップケーブル挿通孔２０４から外装ケース２０１内に引き込まれた光ドロップケーブル１１の光ドロップケーブル本体１１ｄと、外装ケース２０１の長手方向他端側のインドアケーブル挿通孔２０５から引き込まれた光インドアケーブル１２とが、外装ケース２０１内でコネクタ接続された状態となる。
なお、符号２０８ａ、２０８ｂはパッキンであり、ドロップケーブル挿通孔２０４、インドアケーブル挿通孔２０５の防水性を確保するために、外装ケース２０１の長手方向両端に収納される。
【００８２】
また、前記外装ケース２０１は、前記ドロップケーブル挿通孔２０４が開口されている第１ケース半体２０６と、前記インドアケーブル挿通孔２０５が開口されている第２ケース半体２０７とを嵌合して一体化することで組み立てられる、構造になっている。
第１ケース半体２０６は、第２ケース半体２０７と嵌合される円筒状の嵌合筒部２０６ａから、ドロップケーブル挿通孔２０４側へ行くに従って、断面形状が小さくなる先細りの細長筒状に形成されている。この第１ケース半体２０６は、第１実施形態のコネクタ接続用ケース１の外装ケース２の前側ケース２１と、同様の構成である。
第２ケース半体２０７は、第１ケース半体２０６と嵌合される円筒状の嵌合筒部２０７ａから、インドアケーブル挿通孔２０５側へ行くに従って、断面形状が小さくなる先細りの細長筒状に形成されている。
【００８３】
第２ケース半体２０７の嵌合筒部２０７ａは、具体的には、内筒２０６ｂと、該内筒２０６ｂの外側に同心円状に配置された外筒２０６ｃとからなる二重筒状である。第１ケース半体２０６と第２ケース半体２０７とは、第２ケース半体２０７の内筒２０６ｂと外筒２０６ｃとの間に確保された隙間である嵌合溝２０６ｄに、第１ケース半体２０６の嵌合筒部２０６ａが圧入されることで嵌合する。
紡錘形の外装ケース２０１の長手方向中央部の膨出部は、ケース半体２０６、２０７の嵌合筒部２０６ａ、２０７ａ同士が嵌合した嵌合部によって構成される。
【００８４】
第２ケース半体２０７の嵌合筒部２０７ａの構成は、第１実施形態のコネクタ接続用ケース１の外装ケース２の後側ケース２２の嵌合筒部２２１と、同様の構成である。この嵌合筒部２０７ａの内側に、一対のコネクタ係止爪２２ｄが突設されていることも、外装ケース２の後側ケース２２の嵌合筒部２２１と同様である。
また、図２０に示すように、第１ケース半体２０６の嵌合筒部２０６ａの外側に突設された係止突片２０６ｂが、第２ケース半体２０７の嵌合筒部２０７ａの外筒２０７ｃに形成された窓２０７ｅに入り込んで嵌合筒部２０７ａと係合することで、ケース半体２０６、２０７同士の嵌合状態が維持される構造（係止構造）も、第１実施形態のコネクタ接続用ケース１の外装ケース２と同様である。
また、図２１中、前記嵌合溝２０６ｄには、止水用のＯリング２０７ｆが収納されている。
【００８５】
このコネクタ接続用ケース２００の外装ケース２０１は紡錘形であり、コネクタ接続部２０Ａを収納して組み立てると、光ドロップケーブル１１の光ドロップケーブル本体１１ｄと、光インドアケーブル１２とを接続してなる直線状の光ケーブル線路の途中を一部太くしたような外観であり、従来の箱形の屋外光成端キャビネットに比べて、目立ちにくい。このため、家屋の外観、美観に与える影響を軽減できる。
また、紡錘形の外装ケース２０１は、雨水等の水が、該外装ケース２０１の表面を伝って円滑に落下し、溜まりにくい。このため、雨水の溜まりや、着雪による重量増等の不都合を抑えることができる。
また、図２０に例示したように、引留具嵌合部２０３の設置位置が、外装ケース２０１の上端部から、外装ケース２０１の側部の側にずれた位置になっている構成であれば、地上の歩行者から見て、引留具嵌合部２０３に固定されたケーブル引留具１６が外装ケース２０１に隠されるか、あるいは、外装ケース２０１に重なって見えることとなるため、美観の確保の点で有利である。
【００８６】
（他の態様）
図２２は、コネクタ接続用ケース２００の外装ケース２０１に収納するコネクタ接続部として、光ドロップケーブル１１の光ドロップケーブル本体１１ｄの先端に取り付けた光コネクタ３と、光インドアケーブル１２の先端に取り付けた光コネクタ３と、光コネクタ３同士を接続するための光コネクタアダプタ９とで構成されたコネクタ接続部２０Ｂを採用したものである。光コネクタアダプタ９に、両側から光コネクタ３を挿入し、光コネクタアダプタ９内で接続したものが、コネクタ接続部２０Ｂである。
但し、図２２では、第２ケース半体２０７の軸方向寸法を、図２０、図２１に例示したコネクタ接続用ケース２００の外装ケース２０１の第２ケース半体２０７の軸方向寸法に比べて、若干、長く形成している。
光コネクタアダプタ９は、ここでは、ＳＣ形光コネクタの光コネクタアダプタを採用している。
【００８７】
なお、本発明は、上述の実施形態に限定されず、各種変更が可能であることは言うまでも無い。
コネクタ接続用ケースの外装ケースは、前側ケース２１と後側ケース２２、第１ケース半体２０６と第２ケース半体２０７、といった、前後の２ケースを一体化してなる、２分割構造に限定されず、例えば、細長容器状の外装ケースを長手方向の３部分に分割した３つの筒状部材を一体化してなる構造、細長容器状の外装ケースの長手方向中央部に、開閉自在の開閉蓋を有し、この開閉蓋を開放することで、光ファイバケーブル（光ドロップケーブル、光インドアケーブル）先端の光コネクタの収納、取り出しを行えるようにした構造、等も採用可能である。
外装ケースを、光ドロップケーブルの支持線に取り付ける取付手段としては、外装ケースを、ケーブル引留具１６に取り付けるものに限定されず、支持線に直接取り付ける取付治具であっても良い。取付治具としては、例えば、支持線を挟み込んで固定するクランプ部を具備するもの等、各種構成のものを採用できる。また、外装ケースを支持線に直接取り付ける取付手段として、タイラップ等の結束具を用いることも可能である。
【００８８】
また、本発明に係るコネクタ接続用ケースは、Ｌ字形の外装ケース内に、直線状のコネクタ接続部２０Ａ、２０Ｂを収納することも可能である。
外装ケース内におけるコネクタ接続部の収納位置は、必ずしも、光コネクタ同士の接続位置が、細長形状の外装ケースの長手方向中央部に配置されるようにする必要は無い。
例えば、コネクタ接続部を、外装ケースの長手方向の片端の側に偏った位置に収納することも可能である。
【図面の簡単な説明】
【００８９】
【図１】本発明に係る第１実施形態のコネクタ接続用ケースの設置状態（施工例）を示す斜視図である。
【図２】図１におけるコネクタ接続用ケース付近を示す拡大斜視図である。
【図３】図１のコネクタ接続用ケースを示す全体斜視図である。
【図４】図３のコネクタ接続用ケースの半断面斜視図である。
【図５】図３のコネクタ接続用ケースの正断面図である。
【図６】光ドロップケーブルの断面構造の一例を示す図である。
【図７】光インドアケーブルの断面構造の一例を示す図である。
【図８】光ドロップケーブルの先端に取り付ける光コネクタを説明する図であって、（ａ）は光コネクタの正面図、（ｂ）は光コネクタのカバー後端の構造を示す斜視図である。
【図９】図８の光コネクタの内部構造を示す断面図である。
【図１０】図８の光コネクタのクランプ部付きフェルールを示す斜視図である。
【図１１】図８の光コネクタのクランプ部付きフェルールのクランプ部の構造を示す図であり、（ａ）は図１０のＡ−Ａ線断面矢視図であって、介挿部材によって一対の素子間を開放した状態を示す図、（ｂ）は（ａ）の一対の素子間から介挿部材を引き抜いて光ファイバをクランプ固定した状態を示す図、（ｃ）は図１０におけるＢ−Ｂ線断面矢視図（但し、光ファイバを挟み込んだ状態）である。
【図１２】（ａ）〜（ｄ）は、図８の光コネクタを光ドロップケーブルの先端に取り付ける作業を工程順に示す図である。
【図１３】図８の光コネクタのカバー内に、引留部材を収納して固定した状態を示す断面図である。
【図１４】光インドアケーブルの先端に取り付ける光コネクタを示す図であって、（ａ）は光コネクタに光インドアケーブルを引き留める前、（ｂ）は、光コネクタの引留ハウジング部に光インドアケーブル端末に固定した引留部材を固定して、光コネクタに光インドアケーブルを引き留めた状態を示す。
【図１５】（ａ）、（ｂ）は、図１４の光コネクタの引留ハウジング部に、光インドアケーブル端末を引き留める作業を示す図である。
【図１６】図１４の光コネクタの引留ハウジング部に、引留部材を収納して固定した状態を示す断面図である。
【図１７】図３のコネクタ接続用ケースの外装ケースの、引留具嵌合部を示す図である。
【図１８】コネクタ接続用ケースを、ケーブル引留具に固定するための取付手段として、タイラップを採用した例を示す斜視図である。
【図１９】引留具嵌合部を、外装ケースの上端部に形成した例を示す斜視図である。
【図２０】本発明の第２実施形態のコネクタ接続用ケースを示す全体斜視図である。
【図２１】図２０のコネクタ接続ケースの内部構造を示す断面図である。
【図２２】図２０のコネクタ接続ケース内に、プラグ−アダプタ−プラグ方式のコネクタ接続部を収納した例を示す断面図である。
【符号の説明】
【００９０】
１、１Ａ、２００…コネクタ接続用ケース、１１…光ドロップケーブル、１１ｄ…光ドロップケーブル本体（光ファイバエレメント部）、１１ｆ…支持線（支持線部）１２…光インドアケーブル、１３…家屋、１６…ケーブル引留具、１７Ａ…架空光配線網、２…外装ケース、２Ａ…ケース前側部、２Ｂ…ケース後側部、２０、２０Ａ、２０Ｂ…コネクタ接続部、２１…前側ケース、２２…後側ケース、２２ａ…屈曲部、２２１…嵌合筒部、２２２…垂下筒部、２３ａ…ドロップケーブル挿通孔、２４ａ…インドアケーブル挿通孔、２６…取付手段、引留具嵌合部、３…光コネクタ、７…光コネクタ、７１…コネクタ本体、７５２…引留ハウジング部、８…引留部材、２０１…外装ケース、２０４…ドロップケーブル挿通孔、２０５…インドアケーブル挿通孔、２０６…第１ケース半体、２０７…第２ケース半体、７２０…光コネクタ。
【図１】
2007240856.tif 000003
【図２】
2007240856.tif 000004
【図３】
2007240856.tif 000005
【図４】
2007240856.tif 000006
【図５】
2007240856.tif 000007
【図６】
2007240856.tif 000008
【図７】
2007240856.tif 000009
【図８】
2007240856.tif 000010
【図９】
2007240856.tif 000011
【図１０】
2007240856.tif 000012
【図１１】
2007240856.tif 000013
【図１２】
2007240856.tif 000014
【図１３】
2007240856.tif 000015
【図１４】
2007240856.tif 000016
【図１５】
2007240856.tif 000017
【図１６】
2007240856.tif 000018
【図１７】
2007240856.tif 000019
【図１８】
2007240856.tif 000020
【図１９】
2007240856.tif 000021
【図２０】
2007240856.tif 000022
【図２１】
2007240856.tif 000023
【図２２】
2007240856.tif 000024